(57)【要約】【課題】動画撮影及び連写撮影時に被写体の観察が可能な光学ファインダを備えるデジタルカメラを提供する。【解決手段】被写体光を撮像する撮像素子１２と、撮影レンズ６から前記撮像素子へ向かう前記被写体光の光路中に配置され前記被写体光を光学ファインダ及び前記撮像素子へ入射させる光学部材１０と、前記被写体光の光路中から前記光学部材を退避させる光学部材駆動部と、前記光学部材を前記光路中から退避させた状態において、前記撮像素子により撮像された前記被写体光に基づく画像を前記光学ファインダのファインダスクリーン１６に対して投影する投影部１４とを備える。【選択図】図１
2010256451.tif 000002
【特許請求の範囲】
【請求項１】
被写体光を撮像する撮像素子と、
撮影レンズから前記撮像素子へ向かう前記被写体光の光路中に配置され前記被写体光を光学ファインダ及び前記撮像素子へ入射させる光学部材と、
前記被写体光の光路中から前記光学部材を退避させる光学部材駆動部と、
前記光学部材を前記光路中から退避させた状態において、前記撮像素子により撮像された前記被写体光に基づく画像を前記光学ファインダのファインダスクリーンに対して投影する投影部と
を備えることを特徴とするデジタルカメラ。
【請求項２】
前記光学部材は、ハーフミラーにより構成されることを特徴とする請求項１記載のデジタルカメラ。
【請求項３】
前記光学部材駆動部は、前記光学部材の上端部を軸として回動させることにより、前記光学部材を前記被写体光の光路中から退避させることを特徴とする請求項１または２記載のデジタルカメラ。
【請求項４】
前記投影部は、前記ファインダスクリーンの直下に配置されていることを特徴とする請求項１〜３の何れか一項に記載のデジタルカメラ。
【請求項５】
前記光学部材を前記光路中から退避させ、動画撮影又は連写撮影を行う場合に、前記被写体光の前記撮像素子に対する入射を制御するためのシャッタが開状態の期間以外の期間において、前記投影部により前記被写体光に基づく画像を前記ファインダスクリーンに対して投影することを特徴とする請求項１〜４の何れか一項に記載のデジタルカメラ。
【請求項６】
前記撮像素子により撮像された前記被写体光に基づく画像を記憶部と、
前記投影部による投影光が前記撮像素子に入射するのを防止する投影光遮蔽部材を備え、
前記投影部は、前記シャッタが開状態の期間において、前記投影部により前記記憶部により記憶されている画像を前記ファインダスクリーンに対して投影することを特徴とする請求項５に記載のデジタルカメラ。
【発明の詳細な説明】
【技術分野】
【０００１】
本発明は、デジタルカメラに関する。
【背景技術】
【０００２】
撮影済みの画像を光学ファインダで観察することができる一眼レフカメラのファインダ内表示装置が存在する（例えば、特許文献１参照）。
【先行技術文献】
【特許文献】
【０００３】
【特許文献１】特開２００６−２５９０７８号公報
【発明の概要】
【発明が解決しようとする課題】
【０００４】
ところで、一眼レフ方式のデジタルカメラを用いた動画撮影においては、撮影中に光学ファインダにより被写体の観察を行うことができないため、カメラ本体の背面に設けられている液晶表示部により被写体の観察を行いながら撮影を行っている。
【０００５】
しかしながら撮影環境が明るい場合等には、液晶表示部による被写体の観察が困難な場合があることから、別途電子ビューファインダ等を設けることが必要となる場合があった。
【０００６】
本発明の目的は、動画撮影及び連写撮影時に被写体の観察が可能な光学ファインダを備えたデジタルカメラを提供することである。
【課題を解決するための手段】
【０００７】
本発明のデジタルカメラは、被写体光を撮像する撮像素子と、撮影レンズから前記撮像素子へ向かう前記被写体光の光路中に配置され前記被写体光を光学ファインダ及び前記撮像素子へ入射させる光学部材と、前記被写体光の光路中から前記光学部材を退避させる光学部材駆動部と、前記光学部材を前記光路中から退避させた状態において、前記撮像素子により撮像された前記被写体光に基づく画像を前記光学ファインダのファインダスクリーンに対して投影する投影部とを備えることを特徴とする。
【発明の効果】
【０００８】
本発明のデジタルカメラによれば、動画撮影及び連写撮影時に被写体を光学ファインダを用いて観察することができる。
【図面の簡単な説明】
【０００９】
【図１】実施の形態に係るデジタルカメラの概略構成を示す図である。
【図２】実施の形態に係るカメラのシステム構成を示すブロック図である。
【図３】実施の形態に係るデジタルカメラの動画撮影時の状態を示す図である。
【発明を実施するための形態】
【００１０】
以下、図面を参照して本発明の実施の形態に係る一眼レフ方式のデジタルカメラについて説明する。図１は、実施の形態に係る一眼レフ方式のデジタルカメラの概略構成を示す図である。デジタルカメラ２は筐体４を備えている。筐体４の前面には、筐体４に対して着脱可能であり被写体光５をカメラ内部に導く撮影レンズ６が装着されている。なお、撮影レンズ６は、筐体４と一体に構成するようにしてもよい。
【００１１】
筐体４の内部には、図中の矢印方向に回動可能に設けられ、撮影レンズ６を介した被写体光５の光路を切り替えるクイックリターンミラー１０、撮影レンズ６を介した被写体光５を撮像して撮像信号（蓄積電荷としてのアナログ信号）を生成するＣＣＤ或いはＣＭＯＳ等により構成される撮像素子１２、クイックリターンミラー１０と撮像素子１２との間に配置されたシャッタ１３を備えている。ここで、クイックリターンミラー１０は、ハーフミラーにより構成されている。従って、クイックリターンミラー１０が撮影レンズ６と撮像素子１２との間の被写体光５の光路中に位置しているミラーダウン時においては、クイックリターンミラー１０により反射された被写体光５によりファインダスクリーン１６上に被写体の像が形成される。従って、この被写体の像をペンタプリズム１８、ファインダ１９を介して観察することができる。一方、クイックリターンミラー１０を透過した被写体光５は、シャッタ１３を介して撮像素子１２に入射する。なお、クイックリターンミラー１０は、ファインダスクリーン１６の下部に位置するミラーアップ時において、ファインダスクリーン１６の全域を覆う大きさを有する。ここでファインダスクリーン１６、ペンタプリズム１８及びファインダ１９は光学ファインダを構成する。また、クイックリターンミラー１０の直下、即ち光学特性上最も優れた位置に、投影部１４ａ及び投影レンズ１４ｂを備えるプロジェクタ１４が配置されている。
【００１２】
また、筐体４の上部には撮像の指示を行うレリーズボタン（図示せず）が設けられており、筐体４の背面には撮像画像等を表示するＬＣＤ表示部２６（図２参照）、プロジェクタ１４によるスルー画の投影を指示するライブビューボタン（図示せず）、撮影条件の設定を行うマルチセレクタ（図示せず）、動画撮影の開始を指示するＯＫボタン（図示せず）等が設けられている。
【００１３】
図２は実施の形態に係るデジタルカメラのシステム構成を示すブロック図である。デジタルカメラ２はＣＰＵ２８を備え、ＣＰＵ２８には撮像素子１２、操作部３０、撮像素子１２から出力された撮像信号を図示しないＡ／Ｄ変換部においてＡ／Ｄ変換することにより生成された画像データを記憶するバッファメモリ３２、撮像素子１２から出力される撮像信号に基づく画像データに対してホワイトバランス調整、輪郭補償、ガンマ補正等の画像処理を行う画像処理部３４、ＬＣＤ表示素子２６の表示制御を行う表示制御部３６、撮像画像や種々のデータを記憶するメモリカード３８、クイックリターンミラー１０の駆動制御を行うミラー駆動部４４、撮像素子１２に対する被写体光の入射制御を行うシャッタ１３、撮像素子１２により撮像された被写体の画像をファインダスクリーン１６に投影するプロジェクタ１４が接続されている。なお、操作部３０は、レリーズボタン、ライブビューボタン、マルチセレクタ、ＯＫボタン等が含まれる。
【００１４】
次に、この実施の形態に係る一眼レフ方式のデジタルカメラ２において、動画の撮影を行う場合について説明する。デジタルカメラ２の電源をオンにし、ライブビューボタンの押下を行うとＬＣＤ表示部２６においてスルー画像の表示が開始される。即ち、図１に示すように撮影レンズ６から入射した被写体光５の一部は、クイックリターンミラー１０を透過し開状態になったシャッタ１３を通過して撮像素子１２に入射する。撮像素子１２に入射した被写体光５は、撮像素子１２により撮像され、出力された撮像信号に基づくスルー画がＬＣＤ表示部２６において表示される。なお、ＬＣＤ表示部２６においてスルー画を表示しているときは、コントラストＡＦにより、画面の所望の位置にピントを合わせることができる。一方、被写体光５の一部は、クイックリターンミラー１０により反射されてファインダスクリーン１６に被写体の像を形成する。ファインダスクリーン１６に形成された被写体の像はファインダ１９及びペンタプリズム１８を介して観察することができる。
【００１５】
ＬＣＤ表示部２６においてスルー画を表示している状態において、ＯＫボタンが押下されると動画撮影が開始される。即ち、図３に示すように、ミラー駆動部４４によりクイックリターンミラー１０の上端部を軸としてクイックリターンミラー１０を回動させることによりミラーアップ状態とし、撮影レンズ６と撮像素子１２との間の被写体光５の光路中からクイックリターンミラー１０を退避させる。この場合には、クイックリターンミラー１０をファインダスクリーン１６に対して平行になるように位置させることが光学特性上好ましい。
【００１６】
撮影レンズ６からの被写体光は、開状態のシャッタを通過して撮像素子１２に入射し、撮像素子１２において撮像される。プロジェクタ１４は、撮像素子１２により撮像された被写体光５に基づく画像を光学ファインダのファインダスクリーン１６に対して投影する。従って、ファインダスクリーン１６に投影された被写体の画像をファインダ１９及びペンタプリズム１８を介して観察しながら動画撮影を行うことができる。
【００１７】
ここで動画撮影における動画フレームレートを１／３０秒、各フレームにおける露光時間を１／１２５秒として、プロジェクタ１４による画像投影を詳細に説明する。このデジタルカメラ２における動画撮影は、１フレーム（１／３０秒）の最初の１／１２５秒の期間において、シャッタ１３が開状態になり、被写体光５が撮像素子１２に入射して、撮像素子１２において被写体光５の撮像が行われる。従って、この期間及び撮像素子１２から撮像信号を読み込む期間はプロジェクタ１４による被写体の画像の投影は行われないが、１フレームの残りの期間においては、プロジェクタ１４において撮像素子１２において撮像された被写体光５に基づく画像がファインダスクリーン１６に投影される。なお、この動作は各フレームごとに繰り返し行われる。
【００１８】
この実施の形態に係るデジタルカメラによれば、動画撮影の各フレームにおけるシャッタの開状態の期間（露光期間及び撮像信号の読み込み期間）以外は、撮像素子において撮像した被写体の画像のファインダスクリーンに対する投影を行うことができるため、動画撮影中においてもファインダ光学系を介して安定した画像により被写体の観察を行うことができる。
【００１９】
また、この実施の形態においてはプロジェクタをファインダスクリーンの直下に配置することにより、カメラボディの大型化の防止を図ることができる。
【００２０】
なお、上述の実施の形態においては、動画撮影の各フレームにおいてシャッタ１３の開状態の期間（露光期間及び撮像信号の読み込み期間）以外は、撮像素子１２において撮像した被写体の画像をプロジェクタ１４により投影しているが、プロジェクタ１４からの投影光が撮像素子１２に入射するのを防止するための遮蔽部材を設け、動画撮影の各フレームにおけるシャッタ１３の開状態の期間（露光期間及び撮像信号の読み込み期間）においても、撮像素子１２において撮像した被写体の画像をプロジェクタ１４により投影するようにしてもよい。この場合に遮蔽部材としては、ファインダスクリーン１６の周縁部を囲んだ状態で下方向に延びる部材を用いることが好ましい。またこの場合には、１つ前のフレームにおいて投影していた画像を露光期間及び撮像信号の読み込み期間、継続して投影することが好ましい。このようにすることで投影時間を延長することができ更に安定した画像により被写体の観察を行うことができる。
【００２１】
また、上述の実施の形態において、プロジェクタ１４によりシャッタ１３の閉塞後（露光期間の終了後）、短期間でプロジェクタ１４による投影を開始するために、撮像素子１２から最初にＶＧＡの解像度で撮像信号を読み出してプロジェクタ１４により画像の投影を開始し、ＸＧＡ解像度での撮像信号の読み出し終了後、ＸＧＡ解像度の画像の投影を行うようにしてもよい。
【００２２】
また、上述の実施の形態においては、ミラー駆動部４４によりクイックリターンミラー１０の上端部を軸としてクイックリターンミラー１０を図１に示す矢印方向へ回動させることによりミラーアップ状態とし、クイックリターンミラー１０を撮影レンズ６と撮像素子１２との間の被写体光の光路中から退避させているが、クイックリターンミラー１０を図１の紙面垂直方向にスライドさせるミラー駆動部を設けクイックリターンミラー１０を図１の紙面垂直方向にスライドさせることにより、撮影レンズ６と撮像素子１２との間の被写体光の光路中から退避させるようにしてもよい。
【００２３】
また、上述の実施の形態においては、動画撮影について説明したが、高速連写を行う場合においても、プロジェクタ１４において撮像素子１２において撮像された被写体光５に基づく画像をファインダスクリーン１６に投影し、光学ファインダにより被写体の観察を行いながら撮影を行うようにしてもよい。この場合には、クイックリターンミラー１０をアップ状態にしたままでシャッタ１３の駆動により連写撮影を行うことができるので、連写の高速化を容易に行うことができる。また、連写撮影中においてはシャッタが開状態である場合以外は、撮像素子１２により撮像した被写体の画像の投影を行うことができるため、安定した画像により被写体の観察を行いながら連写撮影を行うことができる。
【００２４】
また、上述の実施の形態において、ＬＣＤ表示部２６のバックライトの光源からの光を分光してプロジェクタ１４に用いるようにしてもよい。
【００２５】
また、上述の実施の形態においては、クイックリターンミラー１０を被写体光の光路から退避させて、光学ファインダにより被写体の観察を行いつつ動画撮影を行っているが、図３に示す状態、即ちクイックリターンミラー１０のダウン状態において、光学ファインダにより被写体の観察を行いつつ動画撮影を行うようにしてもよい。即ち、クイックリターンミラー１０により反射された被写体光５によりファインダスクリーン１６上に形成された被写体の像をファインダ１９及びペンタプリズム１８を介して観察しつつ、クイックリターンミラー１０を透過し開状態になったシャッタ１３を通過した被写体光５を撮像素子１２において撮像することにより動画撮影を行うようにしてもよい。
【符号の説明】
【００２６】
２…デジタルカメラ、５…被写体光、６…撮影レンズ、１０…クイックリターンミラー、１２…撮像素子、１３…シャッタ、１４…プロジェクタ、１６…ファインダスクリーン、１８…ペンタプリズム、１９…ファインダ、２６…ＬＣＤ表示部、２８…ＣＰＵ、３６…表示制御部。
【図１】
2010256451.tif 000003
【図２】
2010256451.tif 000004
【図３】
2010256451.tif 000005